(57)【要約】【課題】省エネルギー燃料ガスシステムを提供する。【解決手段】本発明の省エネルギー燃料ガスシステムは、予備混合モードの予備混合モジュール及び拡散混合モードの拡散混合モジュールの２種のガス混合機制モードが同時に並存し、螺旋又は渦式の予備混合モジュールを設計し、燃料分子及び酸化分子の混合藩王を完成し、適合燃料を発生し、整流マスクにより拡散混合モジュールに流入するよう誘導し、２度の渦の気体混合を達成し、更に、燃料板上の火炎孔により燃焼が化学反応を行い、燃料板の蓄温が燃料板の温度上昇を向上させ、後続の燃料板の適合燃料の昇温を拡張させ、可燃分子を更に細化し、「最大空燃比」を発生させ、空気中の微量の水分子を地補助燃料及び助燃剤に分解し、高効率の省エネルギーの目的を達成する。【選択図】図３
2014185847.tif 000002
【特許請求の範囲】
【請求項１】
予備混合空間を設ける管体と、
助燃ガスを該管体に進入させることに用いる少なくとも１つの第１助燃ガス入口と、
該管体の一端に設置され、該予備混合空間の一側に配置され、燃焼ガスを該予備混合空間に注入することに用い、燃焼ガスを該予備混合空間において、螺旋又は渦経路により前進させる燃焼ガス注入ユニットと、
を含む予備混合モジュールと、
該予備混合空間の該燃焼ガス注入ユニットに相対する他側に配置され、
拡散混合空間を設ける上ソケット体と、
該上ソケット体中に設置され、該拡散混合空間上方に位置し、複数の火炎孔を開設する燃料板と、
を含む拡散混合モジュールと、
を含む省エネルギー燃料ガスシステム。
【請求項２】
前記燃焼ガス注入ユニットは、該管体一端の管壁に近い位置に設置され、傾斜角を呈し、燃焼ガスを注入する燃焼ガス注入口を設け、該予備混合空間に注入した燃焼ガスを螺旋経度により前進させることに用い、また、該第１助燃ガス入口は、該管体側壁に設置され、該燃焼ガス注入口下方の位置に配置される請求項１に記載の省エネルギー燃料ガスシステム。
【請求項３】
前記助燃ガス注入口及び水平挟み角は、４５度〜８５度である請求項２に記載の省エネルギー燃料ガスシステム。
【請求項４】
前記予備混合モジュールの該管端の一端にプレート体を設け、該燃焼ガス注入ユニット及び該少なくとも１つの第１助燃ガス入口は、該プレート体に設置され、且つ該少なくとも１つの助燃ガス入口は、該燃焼ガス注入口周囲の位置に配置される請求項１に記載の省エネルギー燃料ガスシステム。
【請求項５】
前記燃焼ガス注入ユニットは、ガイド溝を設け、該ガイド溝は、その底部は、弧形通路を接続し、燃焼ガスを該ガイド溝に流入させることに用い、該ガイド溝上部に燃焼ガス注入口を設け、該予備混合空間に注入した燃焼ガスを渦経路で前進させることに用いる請求項４に記載の省エネルギー燃料ガスシステム。
【請求項６】
前記管体は、ベンチュリ管であることができ、該拡散混合空間の一端に収束部を設ける請求項５に記載の省エネルギー燃料ガスシステム。
【請求項７】
前記燃焼ガス注入口は、流量制御機構を更に接続設置する請求項５に記載の省エネルギー燃料ガスシステム。
【請求項８】
更に、外殻体を含むことができ、該予備混合モジュールは、該外殻体の底台に結合され、該外殻体中に配置され、且つ該底台に少なくとも１つの第２助燃ガス入口を開設し、該上ソケット体は、該外殻体の該底台に対応する他側に結合される請求項１又は請求項２又は請求項５に記載の省エネルギー燃料ガスシステム。
【請求項９】
前記予備混合空間及び該拡散混合空間の間に整流マスクを設け、且つ該整流マスクは、該拡散混合空間へ向けて凹む弧形凹縁を設けるとともに、整流孔を設け、該予備混合空間と混合する燃焼ガス及び助燃ガスを該拡散混合空間に流入させる請求項１又は請求項２又は請求項５に記載の省エネルギー燃料ガスシステム。
【請求項１０】
前記燃料板は、セラミック材質から組成されることができる請求項１又は請求項２又は請求項５に記載の省エネルギー燃料ガスシステム。
【請求項１１】
前記流量制御機構は、該燃焼ガス注入口に相対して作動可能なニードル体、及び該ニードル体を直接又は間接的に接続するガイドロッドを含み、該ガイドロッドにより該ニードル弁の動作を連動し、該燃焼ガス注入口の燃焼ガス注入の開閉又は大きさを調節する請求項７に記載の省エネルギー燃料ガスシステム。
【請求項１２】
前記流量制御機構は、更に、接続ロッドを含み、該接続ロッドは、固定点を設け、該接続ロッドを該固定点に従って軸心回転させ、且つ接続の両端は、それぞれ該ガイドロッド及びダイヤル部材に接続する請求項１１に記載の省エネルギー燃料ガスシステム。
【請求項１３】
前記ガイドロッドは、該接続ロッドを接続する位置に長孔を設けるか、該接続ロッドは、該ガイドロッドを接続する位置に長孔を設けることができる請求項１２に記載の省エネルギー燃料ガスシステム。
【請求項１４】
更に、該燃焼ガス注入ユニットに接続する予熱管路を設け、燃焼ガスが該弧形通路に進入する前に燃焼ガスの温度を上昇させることに用いる請求項５に記載の省エネルギー燃料ガスシステム。
【請求項１５】
前記予熱管路は、該拡散混合空間中に設置できる請求項１４に記載の省エネルギー燃料ガスシステム。
【発明の詳細な説明】
【技術分野】
【０００１】
本発明は、燃焼ガスシステムに関し、特に、予備混合モード及び拡散混合モードが併存する省エネルギー燃焼ガスシステムに関する。
【背景技術】
【０００２】
一般に、燃焼とは、火炎により呈現される燃焼ガス及び助燃ガスの混合により発生する放熱科学反応である。例えば、ガス焜炉、熱水器等は、燃焼ガスによる燃焼が発生する熱エネルギーを利用し、物質に対して加熱を行う装置システム（以下、燃焼ガスシステムと称する）である。燃焼ガスシステムについて述べれば、燃焼反応時に何れも燃焼ガス及び助燃ガス（例えば、酸素ガス）の消耗が必要であり、燃焼ガスが助燃ガスと十分に混合できない場合、燃焼反応を行う時、完全燃焼できず、相対して燃焼ガスの消耗を増加させて初めて所要の熱エネルギーを発生することが可能になる。
【０００３】
一般に用いる燃焼ガスシステムは、ほとんどが先ず燃焼ガス及び助燃物を先に混合し、それから、燃焼を行う化学反応方式であり、それが現在の慣用の予備混合方式である。言い換えれば、予備混合方式は、燃料分子及び酸化物分子を燃焼反応前に先に混合する必要があることを表し、混合の結果は、燃焼ガスの燃焼効率に影響を及ぼす。現行の予備混合方法は、燃焼ガスをノズルから直射方式でガス混合管に噴入し、周囲の空気を入れたガス混合管を併せて混合を行い、最後に燃焼場（燃焼端）へ送る。しかしながら、この種の方式は、燃焼ガス及び助燃物に十分な反応空間又は時間をもたせ混合させることができず、燃焼ガスを完全に運用（燃焼）することができず、資源の浪費を招く。
【先行技術文献】
【特許文献】
【０００４】
【特許文献１】特開２０１０−１３９２２９号公報
【発明の概要】
【発明が解決しようとする課題】
【０００５】
上記の問題に鑑み、本考案が提供する省エネルギー燃焼ガスシステムは、予備混合モード及び拡散混合モードが同時に並存し、燃焼ガス及び空気（助燃ガス）の混合を更に安全にさせ、且つ燃料板の蓄温を利用し、更に、燃焼反応の高温を更に向上させ、後続の適合燃料の昇温を拡張し、更に可燃分子を更に細化し、最大の空燃比を発生させ、それから煙突効果を発生し、空気中の微量水分子を補助燃料及び助燃剤に分解し、最適な省エネルギー効果を達成する。
【課題を解決するための手段】
【０００６】
上記目的を達成する為、本発明の省エネルギー燃料ガスシステムは、予備混合モジュール、拡散混合モジュール及び整流マスクを含み、そのうち、該予備混合モジュールは、管体、少なくとも１つの第１助燃ガス入口及び燃焼ガス注入ユニットを含み、該管体中に予備混合空間を設け、該第１助燃ガス入口は、助燃ガスを該管体に進入させ、該燃焼ガス注入ユニットは、該管体の一端に設置され、該予備混合空間の一側に位置し、燃焼ガスを該予備混合空間に注入させることに用い、燃焼ガスを該予備混合空間内で螺旋又は渦経路により前進させる。該拡散混合モジュールは、該予備混合空間の該燃焼ガス注入ユニットに相対する他側に位置し、上ソケット体及び燃料板を含み、該上ソケット体中に拡散混合空間を設け、該燃料板は、該上ソケット体中に設置され、該拡散混合空間上方に位置し、複数の火炎孔を開設する。該整流マスクは、該上ソケット体に結合し、該予備混合空間及び該拡散混合空間の間に位置し、中央に整流孔を開設し、該予備混合空間内の混合した燃料ガス及び助燃ガスを該拡散混合空間へ流入させることに用いる。
【０００７】
好ましくは、該燃焼ガス注入ユニットは、該管体一端の管壁に近い位置に設置され、傾斜角を呈し、燃焼ガスを注入する燃焼ガス注入口を設け、該予備混合空間に注入した燃焼ガスを螺旋経度により前進させることに用い、また、該第１助燃ガス入口は、該管体側壁に設置され、該燃焼ガス注入口下方の位置に配置される。
【０００８】
好ましくは、該助燃ガス注入口及び水平挟み角は、４５度〜８５度である。
【０００９】
好ましくは、該予備混合モジュールの該管端の一端にプレート体を設け、該燃焼ガス注入ユニットは、該プレート体中央に設置され、且つ該プレート体は、該燃焼ガス注入ユニット周囲に更に少なくとも１つの第１助燃ガス入口を設ける。
【００１０】
好ましくは、該燃焼ガス注入ユニットは、ガイド溝を設け、該ガイド溝は、半円形体を呈し、その底部は、弧形通路を接続し、燃焼ガスを該ガイド溝に流入させることに用い、該ガイド溝上部に燃焼ガス注入口を設け、該予備混合空間に注入した燃焼ガスを渦経路で前進させることに用いる。
【００１１】
好ましくは、該管体は、ベンチュリ管であることができ、該拡散混合空間の一端に収束部を設け、適合燃料が予備混合空間から拡散混合空間へ流れる流向を約束することに用いる。
【００１２】
好ましくは、該燃焼ガス注入口は、流量制御機構を更に接続設置し、燃焼ガスが注入される流量及び燃焼ガス注入幅を制御することに用いる。
【００１３】
好ましくは、更に、外殻体を含むことができ、該予備混合モジュールは、該外殻体の底台に結合され、該外殻体中に配置され、且つ該底台に少なくとも１つの第２助燃ガス入口を開設し、該拡散混合モジュールの上ソケット体は、該外殻体の該底台に対応する他側に結合され、該外殻体を介して、燃焼の火炎が回帰することを効率的に回避することができる。
【００１４】
好ましくは、該整流マスクは、該拡散混合空間へ向けて凹む弧状凹縁を凹設し、予備混合空間が発生する適合燃料及び外殻体中の空気を拡散混合空間に更に円滑に流入できるようにする。
【００１５】
好ましくは、該燃料板は、更に、セラミック材料から組成されることができ、燃焼反応を更に迅速に所定の高温に到達させることができる。
【００１６】
好ましくは、該流量制御機構は、該燃焼ガス注入口に相対して作動可能なニードル体、及び該ニードル体を直接又は間接的に接続するガイドロッドを含み、ガイドロッドを利用してニードル体の動作を連動し、使用者は、ガイドロッドを簡易に調整することで該燃焼ガス注入口の燃焼ガス注入の開閉又は大きさを制御することができる。
【００１７】
好ましくは、該流量制御機構は、更に、接続ロッドを含み、該接続ロッドは、固定点を設け、該接続ロッドを該固定点に従って軸心回転させ、且つ接続の両端は、それぞれ該ガイドロッド及びダイヤル部材に接続する。これにより、適当な配置により、使用者は、ダイヤル部材を回すだけで、燃焼ガス注入の開閉又は火力の大きさを完全に調節することができる。
【００１８】
好ましくは、該ガイドロッドは、該接続ロッドを接続する位置に長孔を設けるか、該接続ロッドは、該ガイドロッドを接続する位置に長孔を設けることができ、これにより、最適な接続効果を達成する。
【００１９】
好ましくは、本発明の省エネルギー燃焼ガスシステムは、更に、該燃焼ガス注入ユニットに接続する予熱管路を設け、燃焼ガスが該弧形通路に進入する前に燃焼ガスの温度を上昇させることに用い、且つその他の形態の燃料を合わせることができ、予熱管路を利用し、先に昇温を行い、分子の細化を加速し、気体に変換して弧形通路に流入し、後続の燃焼ガスの昇温に必要な時間を効率的に減少させ、燃焼ガスの燃焼を更に安全にし、全体の効果を向上させる。
【００２０】
好ましくは、該予熱管路は、該拡散混合空間中に設置でき、拡散混合空間中に蓄積した高温を利用して予熱の効果を達成し、予熱に必要なエネルギーを効率的に節約する。
【発明の効果】
【００２１】
本発明により、燃焼ガス注入ユニットを利用し、螺旋又は渦の混合ガス機制を形成し、設計した予備混合空間において空気（助燃ガス）と混合を完成し、適合燃料を発生し、燃料板上の火炎により燃焼化学反応を行い、燃焼反応により昇温を持続し、後続の適合燃料の昇温を拡張させ、可燃分子を細化して最大空燃比を生じさせ、高温燃料板を利用して空気中の水分子を駆動し、補助燃料及び助燃剤に分解させ、最高強度の省エネルギー効率を達成する。
【図面の簡単な説明】
【００２２】
【図１】本発明の第１実施例の立体説明図である。
【図２】本発明の第１実施例の部材分解説明図である。
【図３】本発明の第１実施例の断面構造説明図である。
【図４】本発明の第１実施例の予備混合モジュールの気体混合経路の側面説明図である。
【図５】本発明の第１実施例の予備混合モジュールの気体混合経路の平面説明図である。
【図６】本発明の第１実施例の予備混合モジュールの気体混合経路の説明図である。
【図７】本発明の第２実施例の断面構造の説明図である。
【図８】本発明の第２実施例の予備混合モジュールの断面構造説明図である。
【図９】本発明の第２実施例の燃焼ガス注入ユニット及びプレート体の平面説明図である。
【図１０】本発明の第２実施例の燃焼ガス注入ユニット及びプレート体の断面構造の拡大説明図である。
【図１１】本発明の第２実施例の予備混合モジュールの気体混合経路の側面説明図である。
【図１２】本発明の第２実施例のガイド溝及び弧形通路中の燃焼ガスが形成する渦の流動経路の説明図である。
【図１３】本発明の第２実施例の気体の流動説明図である。
【図１４】本発明の第２実施例の更なる改良の立体説明図である。
【図１５】本発明の第２実施例の更なる改良の断面説明図である。
【図１６】、
【図１７】ガイドロッドが連動するニードル弁の動作の説明図である。
【図１８】ガイドロッド及び接続ロッドの動作の関係説明図である。
【発明を実施するための形態】
【００２３】
また、図面を合わせ、実施例の表現形式により以下に詳細な説明するが、使用する図面の主旨は、説明及び明細書の補助に用いるものであり、必ずしも本発明の実施後の実際の比率及び精確な配置とするものではなく、故に図面の比率及び配置関係の解読について、本発明の実際の実施における権利範囲を制限するものではない。
【００２４】
図１〜図３に示すのは、本発明の第１実施例の説明図であり、本発明の省エネルギー燃焼ガスシステム１は、外殻体１０、予備混合モジュール２０、拡散混合モジュール３０及び整流マスク４０を含む。そのうち、外殻体１０は、底台１１及び側殻体１２を含み、底台１１は、側殻体１２下方に結合され、少なくとも１つの第２助燃ガス入口１１１を設け、外部の空気（助燃ガス）を外殻体１０中に流入させることに用いる。
【００２５】
予備混合モジュール２０は、底台１１上に設置され、管体２１及び燃焼ガス注入ユニット２２を含み、燃焼ガス注入ユニット２２は、管体２１の一端に設置され、管体２１と併せて底台１１上に設置され、管体２１は、燃焼ガス注入ユニット２２上方に予備混合空間２１１を設け、燃焼ガス注入ユニット２２は、燃焼ガス注入口２２３を設け、燃焼ガスを予備混合空間２１１に注入させることに用い、管体２１の側壁の燃焼ガス注入口２２３下方に相対する位置に少なくとも１つの第１助燃ガス注入口２１２を設け、空気（助燃ガス）を管体２１に進入させることに用い、燃焼ガス注入口２２３に燃焼ガスを注入させる時、空気を併せて連動し、螺旋経路Ａ（図４及び図５参照）により予備混合空間２１１中に前進させ、設計された予備混合空間２１１において適合燃料を混合形成する。
【００２６】
拡散混合モジュール３０は、側殻体上方に結合し、予備混合空間２１１の燃焼ガス注入ユニット２２に相対する他側に位置し、それは、上ソケット体３１及び燃料板３２を含み、上ソケット体３１は、少なくとも１つの上蓋３１２及び下蓋３１３を含み、そのうち、拡散混合空間３１１１を形成し、燃料板３２は、上ソケット体３１中に設置され、拡散混合空間３１１上方に位置し、その上に複数の蜂の巣状火炎孔３２１を開設し、２回ガスを混合した後適合燃料を排出させ、燃焼反応を行わせることに用いる。
【００２７】
整流マスク４０は、上ソケット体３１下端に結合し、予備混合空間２１１及び拡散混合空間３１１の間に位置し、その中央に整流孔３１を開設し、周囲から中央まで徐々に拡散混合空間へ向けて弧状凹縁４２を形成し、予備混合空間２１１内の混合後の適合燃料（燃焼ガス及び助燃ガス）及び外殻体１０中の空気（助燃ガス）を円滑に拡散混合空間３１１中に流入させ、２回目の渦式ガス混合を行わせることに用いる。
【００２８】
第１実施例に記載される省エネルギー燃焼ガスシステム１により、予備混合モード及び拡散混合モードの機制を有効に結合し、予備混合モジュール２０を利用し、設計した予備混合空間２１１内で燃料分子及び酸化分子の混合反応を完成し、適合燃料を発生させ、それから、整流マスク４０を介して拡散混合空間３１１中に導入し、拡散混合モジュール３０を利用し、二回のガス混合後の適合燃料を排出し、燃焼反応を行い、燃料板の蓄温により燃焼反応の温度を効率的に向上させ、後続の適合燃料の昇温を拡張し、可燃分子を更に細化して最大空燃比を発生し、その後、煙突効果を発生し、空気中の水分子を補助燃料及び助燃剤に分解し、最適な省エネルギー効果を達成する。
【００２９】
また、図４〜図６に示すように、本実施例の燃焼ガス注入ユニット２２は、管体２１中の管壁に近い位置に設置され、且つそれが開設する燃焼ガス注入口２２３は、傾斜角を呈し、傾斜の方式で燃焼ガスを予備混合空間２１１中に注入し、燃焼ガスに螺旋経路Ａを呈させ、前進させる目的を達成する。本実施例の概念に基づき、使用の環境に応じて螺旋経路Ａの旋転方向を調整することができ、例えば、南北半球の自然サイクロンの規律の差異によって時計回りか反時計回りの螺旋経路を調整することができ、また、燃焼ガス注入口２２３の注入角度を調整することができ、本発明者の多数回の試験を経て、燃焼ガス注入口２２３及び水平の挟み角は、４５度〜８５度であることが好ましく、これにより、予備混合モジュール２０の予備混合モードに最も良好な効率を達成させることができる。
【００３０】
燃焼ガスが燃焼ガス注入口２２３から予備混合空間２１１に注入される時（図４、図５参照）、燃焼ガス注入時の流動により生じる気流によって、後方（即ち、燃焼ガス注入口２２３下方に位置する）に開設される第１助燃ガス入口１１１から流入される空気（図中の空気流動経路Ｃに示される経路）を併せて連動し、螺旋経路Ａにより前進させ、予備混合空間２１１において、混合反応を行い、酸素飽和完成し、適合燃料を形成する。また、図６に示すように、予備混合空間２１１の混合後の適合燃料が整流マスク４０を経由して拡散混合空間３１１に流入する時、整流マスク４０の弧状凹縁４２を透過し、併せて外殻体１０中の空気を拡散混合空間３１１（図面中の空気流動経路Ｃに示す経路）に入れ、燃料板３２上の火炎孔３２１を介して流出し、燃焼反応を行い、燃焼反応を行う時、燃料板３２の蓄温効果により高温に到達し、後続の拡散混合空間３１１に流入する適合燃料を拡張昇温させ、可燃分子を細化して最大空燃比を発生させることができ、高温の燃料板３２を利用して空気中の水分子を補助燃料及び助燃剤に分解し、これにより、最高強度の省エネルギー効率を達成することができる。
【００３１】
図７〜図１０に示す第２実施例を参照し、それは、第１実施例に記載の予備混合モード及び拡散混合モードの原理と同一であり、第２実施例において、外殻体１０、拡散混合モジュール３０及び整流マスク４０の構造及び効果は、何れも第１実施例と同一であり、ここでは再度記載しない。第２実施例で採用する予備混合モジュール５０は、管体５１、燃焼ガス注入ユニット５２及びプレート体５３を含む。そのうち、管体５１は、ベンチュリ管であり、そのうち、予備混合空間を設け、且つ該拡散混合空間に近い一端に収束部５１２を設ける。プレート体５３は、管体５１の下端に設置され、且つ管体５１と併せて底台１１上に結合される。燃焼ガス注入ユニット５２は、プレート体５３上方に設置され、プレート体５３の中央位置に配置され、プレート体５３は、燃焼ガス注入ユニット５２周囲箇所に、複数の第１助燃ガス入口５３１を開設し、燃焼ガス注入ユニット５２は、ガイド溝５２１及び弧形通路５２２を含み、ガイド溝５２１は、半円形体の空間を呈し、上部に燃焼ガス注入口５２３を開設し、弧形通路５２２一端は、ガイド溝５２１底部の一側に接続し、他端は、燃焼ガス供給口であり、ガイド溝５２１及び弧形通路５２２の設計によって（図１２参照）、燃焼ガスを弧形通路５２２及びガイド溝５２１の弧度に従って渦を発生させ、燃焼ガス注入口５２３から予備混合空間５１１に注入させる燃焼ガスは、渦経路Ｂにより前進する。
【００３２】
本実施例において、使用する環境に応じて渦経路Ｂの旋転方向を調整することができ、弧形通路５２２が設置される位置を変化させることによって、燃焼ガス注入口５２３が予備混合空間５１１に注入される渦経路Ｂが時計回り又は反時計回りの渦を呈することを調整することができ、南北半球の自然サイクロンの規律に合わせて最適な使用状態を達成することができる。
【００３３】
図１１及び図１３を合わせて参照し、第１実施例の原理のように、第２実施例の予備混合モジュール２０は、燃焼ガス注入口５２３から燃焼ガスを管体５１の予備混合空間５１１中に注入し、燃焼ガスを第１助燃ガス入口５３１から流入される空気を伴わせ（図１１に示す空気流動経路Ｃ）、管体５１（ベンチュリ管上段）の予備混合空間５１１に併せて進入させ、混合反応を行い、酸素飽和を完成し、燃焼可能な適合燃料を発生し、本実施例において、図１１及び図１３に示すように、渦経路Ｂが上向きに進行する時、渦の径面もベンチュリ管５１の側壁に伴って拡張し、燃焼ガスに効率的に予備混合空間５１１で進行中に空気と混合反応させ、適合燃料を発生させ、管体５１上方の収束部５１２を介して適合燃料の流出の角度を制御し、拡散混合空間３１１に流入させる。
【００３４】
また、燃焼ガス注入口５２３は、流量制御機構５４を更に接続設置することができ、流量制御機構５４を利用し、燃焼ガス注入の流量又は燃焼ガス注入の幅を制御することができ、ガス混合効果の目的を達成する。そのうち、図に示すのは、流量制御機構５４であるが、実務上、数種の気体出力を調節することに用いることができる弁があり、これに限定するものではない。図に示す流量制御機構５４は、ニードル体を弁として利用し、図８及び図１０に示すように、ニードル体が燃焼ガス注入口５２３に完全に挿入された後、燃焼ガスを通過できなくし、閉鎖の目的を達成し、ニードル体が徐々にガス注入口５２３へ進入又は離脱する時、燃焼ガスが燃焼ガス注入口５２３を経過する量を変化させ、流量を制御する機能を有する。また、プリントで使用するボール弁又は電子弁等は、何れもこれに運用することができ、進入する燃焼ガスを調整制御する。
【００３５】
また、本発明の第２実施例の構造に基づき、更なる改良を行うことができ、図１４及び図１５に示すように、燃焼ガス注入ユニット５２は、更にガイド管路６０を更に接続し、燃焼ガスを燃焼ガス注入ユニット５２の弧形通路５２２に流入させることに用いる。ガイド管路６０は、燃焼ガスを昇温させる予熱管路６１を設けることができ、燃焼ガスが燃焼ガス注入ユニット５２に進入前に先に昇温させることに用い、後続のガス混合過程及び燃焼過程の効果を向上させる。また、流量制御機構５４は、ニードル体５４１を含み、ガイドロッド５４２の連動によって流量の開閉又は大きさを制御し、使用の利便性を向上することができる。
【００３６】
図１４及び図１５において、ガイド管路６０は、燃焼ガス注入ユニット５２に接続され、単一方向に外部から燃焼ガスを燃焼ガス注入ユニット５２の弧形通路５２２中に誘導し、ガイド管路６０が燃焼ガスを誘導する過程において、導熱材質（例えば、銅管）から構成される予熱管路６１を設置し、予熱の方式によって、その他の形態（例えば、液体）の燃料の分子を迅速に細化させ、気体形態に変換させることができ、また、燃焼ガスの温度を上昇させ、燃焼ガスが後続の混合空間５１１及び拡散混合空間３１１に進入した後、更に速く、更に完全に混合及び燃焼を完成させることができ、最良の省エネルギー効果を達成する。本実施例が挟持する予熱方式は、予熱管路６１を拡散混合空間３１１中に設置し、拡散混合空間３１１に蓄積した高温を利用して後続の燃焼ガス注入ユニット５２に進入した燃焼ガス又は燃料に予熱昇温を提供し、これにより、加熱装置を外部に設置して予熱を行う必要がなく、コストを効率的に節約し、全体の効果を向上させる。
【００３７】
図１４〜図１８を併せて参照し、流量制御機構５４は、少なくとも１つのニードル体５４、係止部材５４２及びガイドロッド５４３を含む。そのうち、流量制御機構５４は、実務上、数種の制御及び動作の方式があり、図に示すのは、そのうち１種であり、これに限定するものではない。図１６及び図１７に示すように、ニードル体５４１は、燃焼ガス注入口５２３に相対して動作することができ、係止部材５４２は、ねじ山を有し、ニードル体５４１下方に係止し、ガイドロッド５４３は、該係止部材５４２に固定接続され、係止部材５４２を軸心として回転することができる。これにより、ガイドロッド５４３が係止部材５４２の回転を連動する時、係止部材５４２のねじ山の構造によりニードル体５４１を連動して併せて上下動作することができ、燃焼ガス注入口５２３中の燃焼ガス注入の開閉又は大きさの調節を達成する。また、流量制御機構５４は、更に、固定点Ｐで固定された接続ロッド５４４を含むことができ、接続ロッド５４４に固定点Ｐを軸心として回転させ（図１８参照）、接続ロッド５４４の一端は、長孔５４５及びガイドロッド５４３を経由して互いに接続することができ、他端は、外部操作制御パネル７０に設置するダイヤル部材５４６に接続し、ガイドロッド５４３及び接続ロッド５４４の間の適度な比率の配置によって、使用者は、ただ小さい幅だけ外部の操作制御パネル７０上のダイヤル部材５４６を回すだけで、簡単に燃焼ガス注入の開閉又は大きさを制御することができ、使用上の利便性を効率的に向上させることができる。
【００３８】
上記のように、本発明の実施例に挙げる原理及び構造から分かるように、本発明は、予備混合モード及び拡散混合モードの２種の機制を並存した燃焼ガスシステムであり、予備混合モジュール２０，５０を利用し、予備混合空間２１１，５１１において、適合燃料を混合発生し、それから拡散混合モジュール３０を利用して、２回のガス混合を行った後、混合後の適合燃料を排出し、燃焼反応を行い、燃料板の蓄温により、温度を効率的に上昇させ、後続の適合燃料の昇温を各省させ、可燃分子を更に細化し、最大の空燃比を発生させ、その後、煙突効果を発生し、空気中の水分子を補助燃料及び助燃剤に分解し、最適な省エネルギー効果を達成し、産業上の利用性、新規性及び進歩性を確かに有している。
【００３９】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００４０】
１  省エネルギー燃焼ガスシステム
１０  外殻体
１１  底台
１１１  第２助燃ガス入口
１２  側殻体
２０  予備混合モジュール
２１  管体
２１１  予備混合空間
２１２  第１助燃ガス入口
２２  燃焼ガス注入ユニット
２２３  燃焼ガス注入口
３０  拡散混合モジュール
３１  上ソケット体
３１１  拡散混合空間
３１２  上蓋
３１３  下蓋
３２  燃料板
３２１  火炎孔
４０  整流マスク
４１  整流孔
４２  弧状凹縁
５０  予備混合モジュール
５１  管体
５１１  予備混合空間
５１２  収束部
５２  燃焼ガス注入ユニット
５２１  ガイド溝
５２２  弧形通路
５２３  燃焼ガス注入口
５３  プレート体
５４  流量制御機構
５４１  ニードル体
５４２  係止部材
５４３  ガイドロッド
５４４  接続ロッド
５４５  長孔
５４６  ダイヤル部材
５３１  第１助燃ガス入口
６０  ガイド管路
６１  予熱管路
７０  操作パネル
Ａ  螺旋経路
Ｂ  渦経路
Ｃ  空気流動経路
Ｄ  燃焼ガス流動経路
Ｐ  固定点
【図１】
2014185847.tif 000003
【図２】
2014185847.tif 000004
【図３】
2014185847.tif 000005
【図４】
2014185847.tif 000006
【図５】
2014185847.tif 000007
【図６】
2014185847.tif 000008
【図７】
2014185847.tif 000009
【図８】
2014185847.tif 000010
【図９】
2014185847.tif 000011
【図１０】
2014185847.tif 000012
【図１１】
2014185847.tif 000013
【図１２】
2014185847.tif 000014
【図１３】
2014185847.tif 000015
【図１４】
2014185847.tif 000016
【図１５】
2014185847.tif 000017
【図１６】
2014185847.tif 000018
【図１７】
2014185847.tif 000019
【図１８】
2014185847.tif 000020